【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
コンポーネントをダクト内に配設する方法であって、前記方法は、
前記ダクト内に設けたサブダクトの断面積を増加させて、前記サブダクト内に前記コンポーネントが受容されるようにすることと、
前記コンポーネントを含んだ前記サブダクトの断面積を縮小させて、前記ダクト内で該サブダクトが占める容量を減少することを含む。
【請求項２】
前記サブダクトの断面積を増加させる工程は、該サブダクトの材料の巻解を含む、請求項１に記載のコンポーネントをダクト内に配設する方法。
【請求項３】
前記サブダクトの断面積を増加させる工程は、該面積を増加するためにサブダクトを機械的に拡張することを含む、請求項１に記載のコンポーネントをダクト内に配設する方法。
【請求項４】
前記サブダクトの断面積を増加させる工程は、該サブダクトを形成している材料を拡張することを含む、請求項１に記載のコンポーネントをダクト内に配設する方法。
【請求項５】
前記サブダクトを圧縮ガス供給源と接続することと、前記圧縮ガス供給源を作動させて、前記サブダクトにガスを強制的に通すことにより、前記サブダクトの断面積を増加させることを更に含む、請求項１乃至請求項４のいずれか１項に記載のコンポーネントをダクト内に配設する方法。
【請求項６】
前記サブダクト内に強制的に通されたガスの作用により、前記サブダクトを介してコンポーネントを伝搬させることを更に含む、請求項５に記載のコンポーネントをダクト内に配設する方法。
【請求項７】
前記断面積を縮小する工程は、重力下で前記サブダクトを縮ませること、または収縮させることを含む、請求項１乃至請求項６のいずれか１項に記載のコンポーネントをダクト内に配設する方法。
【請求項８】
反転により、前記サブダクトを前記ダクト内に挿入することを更に含む、請求項１乃至請求項７のいずれか１項に記載のコンポーネントをダクト内に配設する方法。
【請求項９】
コンポーネントをダクト内に配設するシステムであって、
可変の断面積を有するサブダクトと、
前記コンポーネントを該サブダクト内に受容できるようにするべく、前記サブダクトの断面積を増加させるための手段と、
前記ダクト内で前記サブダクトが占める容量を減少するべく、該サブダクトの断面積を縮小するための手段を含むシステム。
【請求項１０】
前記サブダクトは可撓性材料から形成される、請求項９に記載のダクト内にコンポーネントを配設するためのシステム。
【請求項１１】
前記サブダクトは、複数のコンポーネントを受容するための複数のサブダクトを含む、請求項９または請求項１０に記載のダクト内にコンポーネントを配設するためのシステム。
【請求項１２】
前記システムは更に、前記サブダクトに接続可能な圧縮ガス供給源を含み、前記供給源は、該サブダクトの断面積を増加させるために、ガスを該サブダクトに強制的に通す、請求項９乃至請求項１１のいずれか１項に記載のダクト内にコンポーネントを配設するためのシステム。
【請求項１３】
前記サブダクト内にコンポーネントを伝搬させるべく、該サブダクト内にガスを強制的に通すために、該サブダクトに接続可能な圧縮ガスの供給を更に含む、請求項９乃至請求項１２のいずれか１項に記載のダクト内にコンポーネントを配設するためのシステム。
【請求項１４】
前記サブダクトの材料は、該サブダクトの断面積を増加させるために、前記サブダクト内に圧縮ガスを供給すると巻解する構造に構成されている、請求項９乃至請求項１３のいずれか１項に記載のダクト内にコンポーネントを配設するためのシステム。
【請求項１５】
前記サブダクトは保持手段を含み、前記保持手段は、サブダクトの所定の圧力が生じるまで、巻解による該サブダクトの断面積の増加を妨げるように構成されている、請求項１４に記載のダクト内にコンポーネントを配設するためのシステム。
【請求項１６】
前記サブダクトを裏返しにすることで、サブダクトをダクト内に挿入できるようにするべく、該サブダクト内にガスを強制的に供給するために、該サブダクトと接続可能な圧縮ガスの供給部を更に含む、請求項９乃至請求項１２のいずれか１項に記載のダクト内にコンポーネントを配設するためのシステム。
【請求項１７】
ダクト内にサブダクトを配設する方法であって、前記サブダクトが可変の断面積を有しており、前記方法は、
前記ダクト内に前記サブダクトを挿入することと、
前記ダクト内で前記サブダクトが占める容量を低減するべく、該サブダクトの断面積を縮小することを含む。
【請求項１８】
更に、前記ダクト内で前記サブダクトが占める容量を低減するべく、該サブダクトの断面積を縮小する前記工程の前に、該サブダクト内にコンポーネントを受容するために、該サブダクトの断面積を増加させることを更に含む請求項１７に記載のサブダクトを配設する方法。
【請求項１９】
前記サブダクトの断面積を増加させる工程は、サブダクトを機械的に拡大することで該面積を増加させることを含む、請求項１７又は請求項１８に記載のサブダクトを配設する方法。
【請求項２０】
前記サブダクトの断面積を増加させる工程は、該サブダクトを形成する材料を拡大することを含む、請求項１７又は請求項１８に記載のサブダクトを配設する方法。
【請求項２１】
前記サブダクトを圧縮ガスの供給部分と接続することと、前記圧縮ガスの供給部を作動させて、該サブダクト内に強制的にガスを通して、該サブダクトの断面積を増加させることを更に含む、請求項１７乃至請求項２０のいずれか１項に記載のサブダクトを配設する方法。
【請求項２２】
前記サブダクトの断面積を増加させるために、該サブダクト内にガスを強制的に通すべく前記圧縮ガスの供給部分を作動させる工程が、前記ダクト内に該サブダクトを挿入している最中に起こる、請求項２１に記載のサブダクトを配設する方法。
【請求項２３】
前記断面積を縮小する工程は、重力下にて前記サブダクトを収縮させ、またはしぼませることを備える、請求項１７乃至請求項２２のいずれか１項に記載のサブダクトを配設する方法。
【請求項２４】
前記サブダクト内にガスを強制的に通すために前記圧縮ガスの供給部を作動する工程が、該サブダクトに沿ってガスが強制流入されると、該サブダクトを裏返すことを含む、請求項１７乃至請求項２３のいずれか１項に記載のサブダクトを配設する方法。
【請求項２５】
前記サブダクトを裏返す工程は、該サブダクトが前記ダクト内に挿入されている最中に生じる、請求項１７乃至請求項２４のいずれか１項に記載のサブダクトを配設する方法。
【請求項２６】
ダクト内にサブダクトを配設するシステムであって、
可変の断面積を有するサブダクトと、
前記ダクト内の前記サブダクトが占める容量を減少するために、前記サブダクトの断面積を縮小する手段を含むシステム。
【請求項２７】
前記ダクト内の前記サブダクトが占める容量を減少するべく該サブダクトの断面積を縮小する前に、サブダクト内部にコンポーネントを受容するための該サブダクトの断面積を増加する手段を更に含む、請求項２６に記載のダクト内にサブダクトを配設するシステム。
【請求項２８】
前記サブダクトは可撓性の材料から形成される、請求項２６または請求項２７に記載のサブダクトを配設するシステム。
【請求項２９】
前記サブダクトは、複数のコンポーネントを受容するための複数のサブダクトを備える、請求項２６乃至請求項２８のいずれか１項に記載のサブダクトを配設するシステム。
【請求項３０】
前記システムは前記サブダクトの断面積を増加するべく、該サブダクト内にガスを強制的に流すために該サブダクトに接続可能な圧縮ガスの供給部を更に含む、請求項２６乃至請求項２９のいずれか１項に記載のサブダクトを配設するシステム。
【請求項３１】
該サブダクトを前記ダクト内に挿入する間に、前記サブダクトの断面積を増加するために、前記圧縮ガスの供給部は、該サブダクト内にガスを強制的に流すよう動作可能である、請求項３０に記載のサブダクトを配設するシステム。
【請求項３２】
前記圧縮ガスの供給部が該サブダクトと接続可能であることにより、前記圧縮ガスの供給部の作動によって、該サブダクト内にガスが強制的に流され、該サブダクトを裏返すことができる、請求項３０または請求項３１に記載のサブダクトを配設するシステム。
【請求項３３】
サブダクトであって、前記サブダクトは、
サブダクトの断面積を増加することで、前記サブダクト内にコンポーネントを受容できるようにし、
前記サブダクトが占める容量を減少するために、前記コンポーネントを収容している前記サブダクトの断面積を縮小することができるように構成される。
【請求項３４】
サブダクトの材料が、前記サブダクトの断面積を増加するべく巻解できる形状に構成された、請求項３３に記載のサブダクト。
【請求項３５】
前記材料の形状が概して螺旋形状である、請求項３４に記載のサブダクト。
【請求項３６】
圧縮ガスの供給部を前記サブダクト内に受容するための手段を更に含み、前記手段は、前記サブダクトの断面積が圧縮ガスの供給によって増加できるように構成された、請求項３３乃至請求項３５のいずれか１項に記載のサブダクト。
【請求項３７】
使用時に、圧縮ガスの作用によって前記サブダクト内に導入されたコンポーネントを受容するための、請求項３３乃至請求項３６のいずれか１項に記載のサブダクト。
【請求項３８】
サブダクトの材料が、前記サブダクトの断面積が増加した後に、前記材料が重力下でしぼんで、該サブダクト断面積が縮小する、請求項３３乃至請求項３７のいずれか１項に記載のサブダクト。